(57)【要約】【課題】ケーブルの挟持作業が簡単かつ短時間に完了できるとともに、一群のケーブルの引き廻しを単純化し、機器周辺においてケーブルが邪魔にならないように整理できるケーブルクランプを提供する。【解決手段】本発明に係るケーブルクランプは、六面体ブロック２の一つの平面３にケーブル嵌入溝４を設け、該ケーブル嵌入溝４はその両端４ａ、４ｂが互いに隣接する二つの立面５、６に達していることを特徴とし、ケーブル嵌入溝４に押し込むだけの簡易な作業によりケーブル７を所望の方向に屈曲させることができるように構成した。【選択図】  図１
2004215400.tif 000002
【特許請求の範囲】
【請求項１】
六面体ブロックの一つの平面にケーブル嵌入溝を設け、該ケーブル嵌入溝はその両端が互いに隣接する二つの立面に達していることを特徴とするケーブルクランプ。
【請求項２】
前記ケーブル嵌入溝を設けた六面体ブロックが、前記ケーブル嵌入溝の両端の向きが同一方向になるように複数個を連接一体化したことを特徴とする請求項１に記載のケーブルクランプ。
【発明の詳細な説明】
【０００１】
【考案の属する技術分野】
本発明は、コンピュータを含む電気機器から引き出されたケーブル或いは機器間を接続するケーブル（ＬＡＮケーブルなど）を任意の方向に曲げたり、セパレートするためのケーブルクランプに関するものである。
【０００２】
【従来の技術】
従来、この種のケーブルクランプには、図８に示すものがあった。これは一群のケーブル８１を嵌合させるほぼ直角方向に曲げた溝８２を上面に有する下層ベース８３と、該下層ベース８３の突起８４に嵌入できる透孔８５を有するカバー体８６とからなり、該カバー体８６の下面には前記下層ベース８３の溝８２に対応する溝８２′が設けられ、該溝８２′は前記溝８２と相俟ってケーブル８１を挟持できるように構成している。これは一群のケーブルを一定の方向に曲げつつセパレートして相互干渉の状況を防止するためである。
【０００３】
【発明が解決しようとする課題】
しかしながら、上記従来型のケーブルクランプでは、一群のケーブル８１を挟持させるに際し、下層ベース８３の突起８４に、カバー体８６の透孔８５を総て嵌合させつつ両溝８２、８２′間に各ケーブルを挟持させるため、挟持作業がしづらかったばかりでなく、挟持作業に多くの時間を要していた。
【０００４】
本発明は、上記問題を解消するためのもので、その目的とするところは、ケーブルの挟持作業が簡単かつ短時間に完了できるとともに、一群のケーブルの引き廻しを単純化し、機器周辺においてケーブルが邪魔にならないように整理できるケーブルクランプを提供することにある。
【０００５】
【課題を解決するための手段】
上記目的を達成するため、本発明に係るケーブルクランプは、六面体ブロックの一つの平面にケーブル嵌入溝を設け、該ケーブル嵌入溝はその両端が互いに隣接する二つの立面に達していることを特徴とし、ケーブル嵌入溝に押し込むだけの簡易な作業によりケーブルを所望の方向に屈曲させることができるように構成した。
【０００６】
また、請求項２に記載の発明に係るケーブルクランプは、前記ケーブル嵌入溝を設けた六面体ブロックが、前記ケーブル嵌入溝の両端の向きが同一方向になるように複数個を連接一体化したことを特徴とし、一群のケーブルを同一方向に容易に屈曲乃至整列（セパレート）させることができるように構成した。
【０００７】
【発明の実施の態様】
次に、本発明の実施の態様を図に基づいて説明する。図１は本願ケーブルクランプの第一例を示す斜視図、図２は同平面図、図３は図２におけるＡ−Ａ線の切断部端面図、図４は本願ケーブルクランプの第１例の使用状態を示す平面図、図５は本願ケーブルクランプの第二例を示す斜視図、図６は同平面図、図７は本願ケーブルクランプの第二例の使用状態を示す平面図である。
【０００８】
図１〜図４は、本願ケーブルクランプ１の第一例を示すもので、六面体ブロック２の一つの平面３にはケーブル嵌入溝４が設けられている。該ケーブル嵌入溝４は屈曲されており、その両端４ａ、４ｂは前記六面体ブロック２の互いに隣接（立方体では直交）する二つの立面５、６に達している。
【０００９】
前記ケーブル嵌入溝４は、その溝形状に合わせてケーブル７を予め曲げて上方から溝底に向けて指先で押し込むだけの簡易な作業で容易に嵌入でき、しかも、該ケーブル７を所望の方向に屈曲させた状態を永続的に維持できるようにしたものである。しかして、ケーブル嵌入溝４に嵌入されたケーブル７は、溝のインサイド側４１の屈曲中点（面）Ｐを支点とし、ケーブル自体の復元力により溝のアウトサイド側４２の端末点Ｐ′、Ｐ″の２点に当接させている。これによりケーブル７をケーブル嵌入溝４にて３点支持し、脱落防止と確実かつ任意の角度への屈曲を実現する。
【００１０】
前記ケーブル嵌入溝４の幅Ｗ及び深さＤは適用しようとするケーブル７の外径Ｒに合わせて決定される。実施例では、図３の如く、幅Ｗをケーブル７の外径Ｒの１倍（同等）、深さＤを同外径Ｒの１．５倍にしている。これは溝内にいったん嵌入させたケーブル７を脱出し難くするために有効である。なお、ケーブル嵌入溝４の底部形状は、図示の例では角形になっているが、ケーブル７の外径形状に合わせて半円形にすることもある。また、溝の断面は図示の例ではズンドウ状であるが、若干蟻溝状にしてより脱出し難くすることもある。
【００１１】
前記ケーブル嵌入溝４の屈曲角（夾角）θは任意に決定してよいが、図示の例では作図上の便宜のため９０°になっている。尤も、ケーブル７を９０°に曲げたい場合、ケーブル自身の復元力を考慮すると、９０°より若干鋭角になっているとよい。勿論、適用しようとするケーブル７の配線の都合等によって夾角θを９０°より鋭角にしたり鈍角にしたりすることもある。
【００１２】
上記本願ケーブルクランプ１の第一例のものは、図４の如く、図示しないコンピュータ機器とキーボード８とを接続したケーブル７をキーボード８の近傍において９０°に屈曲した場合を示している。これはキーボード８の左周辺の机上をスッキリさせるとともに、該机上をケーブルに邪魔されないで広く利用できるようにしている。
【００１３】
前記実施態様では、ケーブル嵌入溝４のインサイド側４１の屈曲中点Ｐは角を丸く（台形状でもよい）仕上げている。これはケーブル７をその支持点で傷めないようにするためである。なお、溝のアウトサイド側４２の屈曲中点は、図２の如く、ケーブル７には非接触であるが丸く仕上げている。これは加工上の便宜さと美観上の要求のためである。
【００１４】
前記ケーブル嵌入溝４は、上記例では、ケーブル７を直角を含むＶ形に支持するようになっているが、波形或いはＷ形にしてケーブルを直線方向にも支持できるようにすることもある。
【００１５】
前記ケーブル嵌入溝４を設けた六面体ブロック２は、図５及び図６の如く、該ケーブル嵌入溝４の両端４ａ、４ｂの向きが同一方向になるように複数個（図において５個を示しているがこれに限らない。）を連接一体化し、本願ケーブルクランプ１の第二例を構成させている。この第二例によれば、図７の如く、コンピュータ機器Ｃとハブ（Ｈｕｂ）Ｈとの間を接続した一群のケーブル７、７、７…を同一方向に屈曲しつつセパレート状に保持させて、機器周辺においてケーブルが邪魔にならないように整理できるようにしている。
【００１６】
前記本願ケーブルクランプ１の第二例において、六面体ブロック２の連接部９は「くびれ」ている。これは一群のケーブル７、７、７…を屈曲乃至整列させ易くするために有効である。前記連接部９のくびれ度合いや六面体ブロック２、２の間隔は、ケーブル７の太さや形状、又はケーブル７の屈曲角度により調整することもある。尤も、前記連接部９のくびれ度合いによっては全体の強度低下を招くおそれがあることから、ケーブルの屈曲乃至整列性能と強度とのバランスを考慮すると良い。
【００１７】
前記本願ケーブルクランプ１の素材としては、軽量化のためにプラスチック或いはアルミニュームを利用するとよい。勿論、これ以外の素材、例えば、磁器や金属で成形することもある。
【００１８】
【発明の効果】
以上の如く、本発明に係るケーブルクランプは、六面体ブロックの一つの平面にケーブル嵌入溝を設け、該ケーブル嵌入溝はその両端が互いに隣接する二つの立面に達していることを特徴としているから、ケーブル嵌入溝に手指により押し込むという単純な作業だけでケーブルを所望の方向に屈曲維持させることができる。従って、単線のケーブルの配線作業の簡略化を図るとともに、多線のケーブルの配線作業時の整線作業の効率化が図れるという優れた効果を奏するものである。
【００１９】
また、請求項２に記載の発明に係るケーブルクランプは、前記ケーブル嵌入溝を設けた六面体ブロックが、前記ケーブル嵌入溝の両端の向きが同一方向になるように複数個を連接一体化したことを特徴としているから、一群のケーブルを簡易にしかも短時間にて同一方向に屈曲乃至整列（セパレート）させることができる。従って、一群のケーブルの引き廻しも単純化し、コンピュータやハブの周辺のケーブルを邪魔にならないように良く整理できるなど、各種の優れた効果を奏するものである。
【図面の簡単な説明】
【図１】本願ケーブルクランプの第一例を示す斜視図である。
【図２】同平面図である。
【図３】図２におけるＡ−Ａ線の切断部端面図である。
【図４】本願ケーブルクランプの第１例の使用状態を示す平面図である。
【図５】本願ケーブルクランプの第二例を示す斜視図である。
【図６】同平面図である。
【図７】本願ケーブルクランプの第二例の使用状態を示す平面図である。
【図８】従来型ケーブルクランプの分解斜視図である。
【符号の説明】
１  本願ケーブルクランプ
２  六面体ブロック
３  平面
４  ケーブル嵌入溝
４ａ、４ｂ  溝の両端
４１  溝のインサイド側
４２  溝のアウトサイド側
５、６  立面
７  ケーブル
８  キーボード
９  連接部
Ｐ  屈曲中点
Ｐ′、Ｐ″  端末点
Ｗ  溝の幅
Ｄ  溝の深さ
Ｒ  ケーブル外径
θ  屈曲角（夾角）
Ｃ  コンピュータ機器
Ｈ  ハブ
【図１】
2004215400.tif 000003
【図２】
2004215400.tif 000004
【図３】
2004215400.tif 000005
【図４】
2004215400.tif 000006
【図５】
2004215400.tif 000007
【図６】
2004215400.tif 000008
【図７】
2004215400.tif 000009
【図８】
2004215400.tif 000010